(57)【要約】【課題】  本考案は会計トレイ中敷シートに紙幣の透かし部に照射機能を持たせ瞬時に紙幣の透かしの偽造等の不正を発見し犯罪を防止する【解決手段】  本考案はタイプ１では会計トレイ中敷シートに紙幣の透かし部を照射する発光部と、センサー、スイッチ回路、電源部を中敷シートに内蔵し、又タイプ２では、発光部、手動スイッチ、電源部を会計トレイ中敷シートに内蔵し、透かしの確認が容易にできるようにし、又その中敷シートにはトレイの形状に合わせ裁断することで互換性をもたせ、紙幣の偽造などの不正発見、犯罪防止に役立つ。【選択図】    図１
0003113323.tif 000002
【実用新案登録請求の範囲】
【請求項１】
現金受け取り用会計トレイの中敷シートの中に受光センサー、感知判定回路、スイッチ回路、発光ダイオード、コイン型電池を内臓し、現金がトレイに置かれたときに受光センサーがそれを感知し、その信号でスイッチ回路が自動的に作動し、発光ダイオードが紙幣の透かし部分を下から照射し図柄を見やすくしたタイプ１の会計トレイ。
【請求項２】
請求項  １のタイプ１はセンサーの信号でスイッチを自動作動させ発光ダイオードが照射する仕組みに対しタイプ２は電源スイッチを人的操作で作動させ発光ダイオードが紙幣の透かし部を下から照射し、図柄を確認しやすくした会計トレイ。
【請求項３】
回路は中敷シートの中に内臓されているので、回路を壊さない範囲であれば裁断して利用できる。尚タイプ１、及びタイプ２、双方とも透かしの真贋判定するものではない。
【考案の詳細な説明】
【技術分野】
【０００１】  本考案は紙幣の透かし部に自動発光装置及び手動発光装置を内臓した会計トレイ中敷シートに関するものである。
【背景技術】
【０００２】  複写技術や印刷技術の一般化や高度化に伴い犯罪につながる不正技術も巧妙化する中で、紙幣の受け渡しの際に、受け取った紙幣を手に取って上に向いてかざす所作には抵抗感がありなかなか実行出来ない。互いの信頼関係を確認し会う作業を速やかに行うためには互いの紳士的行為として会計トレイは金銭受け渡しの手段として必要不可欠な道具であったが、不正技術の発見は困難であった。
【考案の開示】
【考案が解決しようとする課題】
【０００３】  トレイに一旦乗せて受け取った紙幣の透かし部分を上から確認し不正の発見をするのは非常に難しく、又詳細に確認するために受け取った側がトレイから紙幣を取り出し別の方法で確認するには渡す側との信頼関係を損ないかねない状況であり、透かし部の確認が速やかに行われることが必要であった。トレイに照射機能を装備することで、その困難な部分を解決しようとするものである
【課題を解決するための手段】
【０００４】  本考案はトレイの中敷シートにタイプ１ではセンサー、スイッチ回路、発光部、電源部等を内臓し照射機能を持たせしかも紙幣を置いたと同時に装置が機能し透かし部図柄が速やかに確認でき困難な問題点を解決している、又タイプ２では手動スイッチ、発光部、電源部を会計トレイ中敷シートに内臓し、紙幣をトレイの所定の位置に置く作業の中で手動スイッチを作動できる構造になっておりタイプ１同様困難な問題を解決している。
【考案の効果】
【０００５】  中敷シートに発光部及び操作回路、電源部すべてを内臓したことで再度紙幣を手にとって透かし図柄確認の作業も必要なく、トレイの中に紙幣を置いた時に透かし図柄の確認が瞬時にできると同時に不正の発見にもつながる、金銭授受の際の紙幣を渡す側と受け取る側双方の信頼関係を損なうことはない。
【考案を実施するための最良の形態】
【０００６】  中敷シートに発光部及び操作回路、電源部すべてを内蔵するためしかも発光部は紙幣の中央部を反射板で広範囲に照射できるようになっているため紙幣の置かれた位置が多少一定でない場合でも透かしの図柄が確認できないことはない、又トレイの形状などの違いなどで透かしの位置が通常（トレイの中央部）と違う場合は中敷シートに装置全体をシートに内臓のため装置を破損しない範囲であれば
裁断して利用できるため位置ずれの問題は解消できる、（その以外に透かしの部分が極端に違う場所の場合はシート製作工程の中で内臓位置の変更はできる）。
【実施例】
【０００７】  以下添付図面に従って実施例を説明する、図で示すように２、３センサー、４スイッチ回路５発光体６反射板７電源部全てコンパクトであるため一式中敷シート内部に一体モールド成形してあるため絶縁性に優れ、漏電などの故障が少ない。【０００８】  電源のコイン型リチューム電池は薄型で軽量であるためモールド成形しやすく、又スイッチ回路は可変抵抗を使用し受光センサーの感度調整に使用し、紙幣がトレイの所定の位置に置かれた時感知漏れを起こすことは少なく、しかも薄型の小型の基盤に収まっているためモールド成形しやすく中敷シート本体全体が薄型軽量に出来上がり、しかもコンパクトであるため裁断して使用することで形状の違うトレイとの互換性が期待できる。
【産業上の利用可能性】
【０００９】  複写技術の高度化に伴い犯罪につながる不正技術も巧妙化しており、金銭の受け渡しは人と人と信頼関係を深める大事な行為であり、本考案の会計トレイでの金銭の受け渡しはそれを一層深める行為となる、しかもその際犯罪を防止する効果があれば産業上安心した取引が出来る。
【図面の簡単な説明】
【００１０】
【図１】本実施例タイプ１の平面図である
【図２】本実施例タイプ１の正面図である
【図３】本実施例タイプ１の側面図である
【図４】本実施例タイプ１の断面図である
【図５】本実施例タイプ１の回路機能図である
【図６】本実施例タイプ１の回路図である
【図７】本実施例タイプ１の使用例図である
【図８】本実施例タイプ２の平面図である
【図９】本実施例タイプ２の正面図である
【図１０】本実施例タイプ２の側面図である
【図１１】本実施例タイプ２の断面図である
【図１２】本実施例タイプ２の回路図である
【図１３】本実施例タイプ２ので使用例図ある
【符号の説明】
【００１１】１  タイプ１中敷シート本体
２  受光センサー１
３  受光センサー２
４  感知判定及びスイッチ回路基盤
５  発光ダイオード
６  反射板
７  コイン型リチューム電池１，２
８  タイプ２中敷シート
９  手動スイッチ
１０  発光ダイオード
１１  反射板
１２  コイン型リチューム電池３，４
【図１】
0003113323.tif 000003
【図２】
0003113323.tif 000004
【図３】
0003113323.tif 000005
【図４】
0003113323.tif 000006
【図５】
0003113323.tif 000007
【図６】
0003113323.tif 000008
【図７】
0003113323.tif 000009
【図８】
0003113323.tif 000010
【図９】
0003113323.tif 000011
【図１０】
0003113323.tif 000012
【図１１】
0003113323.tif 000013
【図１２】
0003113323.tif 000014
【図１３】
0003113323.tif 000015
【手続補正書】
【提出日】平成17年5月13日(2005.5.13)
【手続補正１】
【補正対象書類名】実用新案登録請求の範囲
【補正対象項目名】全文
【補正方法】変更
【補正の内容】
【実用新案登録請求の範囲】
【請求項１】
現金受け取り用会計トレイの中敷シートの中に受光センサー、光センサースイッチ回路、発光ダイオード、コイン型電池を内臓し、現金がトレイに置かれた時に受光センサーが感知し、紙幣が置かれたことを示す信号で光センサースイッチ回路が自動的に作動し、発光ダイオードが紙幣の透かし部分を下から照射し図柄を見やすくした光センサースイッチ式の会計トレイ。
【請求項２】
現金受け取り用会計トレイの中敷シートの中に手動スイッチ、発光ダイオード、コイン型電池を内臓し、現金がトレイに置かれた時に手動スイッチを押下ＯＮにすることにより、発光ダイオードが紙幣の透かし部分を下から照射し図柄を見やすくした手動スイッチ式の会計トレイ。
【手続補正２】
【補正対象書類名】明細書
【補正対象項目名】０００４
【補正方法】変更
【補正の内容】
【０００４】  本考案の光センサースイッチ式では会計トレイの中敷シート１に受光センサー２，３、光センサースイッチ回路４、発光ダイオード５、電源部７を内臓し、紙幣を置いた時に光センサースイッチ回路４が作動し発光ダイオード５が点灯するため透かし部図柄が速やかに確認でき困難な問題点を解決している、又手動スイッチ式では会計トレイの中敷シート８に手動スイッチ９、発光ダイオード１０、電源部１２を内臓し、紙幣をトレイの所定の位置に置く作業の中で手動スイッチ９を作動させ発光ダイオード５を点灯させる構造になっており光センサースイッチ式と同様に困難な問題を解決している。
【手続補正３】
【補正対象書類名】明細書
【補正対象項目名】０００７
【補正方法】変更
【補正の内容】
【０００７】  以下添付図面に従って光センサースイッチ式の実施例を説明する、図１で示すようにセンサー２，３、光センサースイッチ回路４、発光ダイオード５、反射板６、電源部７を一式中敷シート内部に一体モールド成形してあるため絶縁性に優れ、漏電などの故障が少ない。
【手続補正４】
【補正対象書類名】明細書
【補正対象項目名】０００８
【補正方法】変更
【補正の内容】
【０００８】  電源のコイン型リチューム電池７は薄型で軽量であるためモールド成形収納しやすく、又光センサースイッチ回路４には受光センサー２，３の感度調整用可変抵抗（図６回路図内記号ＶＲ５０Ｋ）が組み込んであり、会計トレイの使用場所周囲光度との調整が出来るようにしてあり感知漏れを起こすことは少なく、しかも薄型の基盤に構成されているためモールド成形しやすく中敷シート全体が薄型軽量に出来上がり、しかもコンパクトであるため裁断して使用することで形状の違うトレイとの互換性が期待できる。
【手続補正５】
【補正対象書類名】明細書
【補正対象項目名】００１０
【補正方法】変更
【補正の内容】
【００１０】
【図１】本実施例光センサースイッチ式の平面図である
【図２】本実施例光センサースイッチ式の正面図である
【図３】本実施例光センサースイッチ式の側面図である
【図４】本実施例光センサースイッチ式の断面図である
【図５】本実施例光センサースイッチ式の回路機能図である
【図６】本実施例光センサースイッチ式の回路図である
【図７】本実施例光センサースイッチ式の使用例図である
【図８】本実施例手動スイッチ式の平面図である
【図９】本実施例手動スイッチ式の正面図である
【図１０】本実施例手動スイッチ式の側面図である
【図１１】本実施例手動スイッチ式の断面図である
【図１２】本実施例手動スイッチ式の回路図である
【図１３】本実施例手動スイッチ式の使用例図である
【手続補正６】
【補正対象書類名】明細書
【補正対象項目名】００１１
【補正方法】変更
【補正の内容】
【００１１】    １光センサースイッチ式中敷シート    ２    受光センサー１    ３    受光センサー２    ４光センサースイッチ回路    ５    発光ダイオード    ６    反射板    ７コイン型リチューム電池    ８手動スイッチ式中敷シート    ９    手動スイッチ    １０  発光ダイオード    １１  反射板    １２コイン型リチューム電池